(57)【要約】【課題】一食分のミキサー食を容器部に入れて、胃瘻の患者の胃に一定の流量で自動的に注入できる専用装置の提供。【解決手段】下端部に注入孔を有するシリンジ状容器部５と、シリンジ状容器部５に摺動自在に設けられるブッシュ２７と、ブッシュ２７の上面側に設けられた加圧室としてのジャバラ状伸縮体３５とを備え、ブッシュ２７の下面側をミキサー食の収容室３１とするミキサー食注入部３と、ジャバラ状伸縮体３５に連通した加圧用エアチューブ４３および圧力検出用エアチューブ４５と、ミキサー食の注入流量や連続注入時間を設定する設定部を備えたコントローラ５１を備え、運転ボタンを押下すると、設定内容に従ってミキサー食が自動的に注入される。圧力は、ジャバラ状伸縮体３５に一旦入って圧力検出用エアチューブ４５を通って戻されたエアを検出するので精度高く検出できる。従って、ミキサー食は定常時は設定された一定の流量で連続的に注入される。【選択図】    図２
2015128550.tif 000002
【特許請求の範囲】
【請求項１】
下端部に注入孔を有するシリンジ状容器部と、前記シリンジ状容器部に摺動自在に設けられるブッシュと、前記ブッシュの上面側に設けられ前記ブッシュの作動力を容積の増大により生み出す加圧室とを備え、前記ブッシュの下面側をミキサー食の収容室とするミキサー食注入部と、
前記加圧室に連通した加圧用エアチューブおよび圧力検出用エアチューブと、
前記加圧用エアチューブを介して前記加圧室に送るエア量を直接または間接的に設定する設定部と、前記加圧用エアチューブに設けられた吐出ポンプと、前記圧力検出用エアチューブに設けられた圧力センサーと、前記圧力センサーからの検出結果を受けて、前記設定部での設定目標に従って前記吐出ポンプを作動させる制御部とを備えたコントローラと、
で構成したことを特徴とするミキサー食自動注入装置。
【請求項２】
請求項１に記載したミキサー食自動注入装置において、
加圧用エアチューブは二股に分かれ、一方に吐出ポンプが設けられ、他方に電磁弁を介して吸引ポンプが設けられており、制御部は前記電磁弁を作動させて前記吸引ポンプ側の分岐チューブを加圧室と連通させることで、加圧室を速やかに静圧状態にしてブッシュを停止させることが可能になっていることを特徴とするミキサー食自動注入装置。
【請求項３】
請求項１または２に記載したミキサー食自動注入装置において、
設定部にはミキサー食の連続注入時間の設定が可能になっており、制御部は設定された時間がくるとブッシュを停止させて注入を中断させることを特徴とするミキサー食自動注入装置。
【請求項４】
請求項３に記載したミキサー食自動注入装置において、
コントローラはブザーの鳴動回路を備えており、制御部は設定された時間がくると前記ブザーの鳴動回路をＯＮにすることを特徴とするミキサー食自動注入装置。
【請求項５】
請求項１から４のいずれかに記載したミキサー食自動注入装置において、
ブッシュの外周には襞が設けられており、前記襞がシリンジ状容器部の内周を摺動することを特徴とするミキサー食自動注入装置。
【請求項６】
請求項１から５のいずれかに記載したミキサー食自動注入装置において、
加圧室は容器内に収められたジャバラ状伸縮体によって構成されていることを特徴とするミキサー食自動注入装置。
【請求項７】
請求項１から５のいずれかに記載したミキサー食自動注入装置において、
加圧室はブッシュと共にシリンジ状容器部に摺動自在に設けられるピストンの上面側空間になっていることを特徴とするミキサー食自動注入装置。
【請求項８】
請求項７に記載したミキサー食自動注入装置において、
ミキサー食注入部側に、ピストンの軸に取り付けられたラックと、前記ラックと噛合うピニオンと、前記ピニオンに取付けられたポテンショメータとで構成され、前記ピニオンの回転角を検出する検出手段を備え、
コントローラ側に、前記ポテンショメータからのピニオンの回転角の検出結果に基づいてミキサー食の注入量または残液量を算出して報知する報知手段とを備えることを特徴とするミキサー食自動注入装置。
【発明の詳細な説明】
【技術分野】
【０００１】
本発明は、胃瘻からのミキサー食の注入に使用する専用装置に関するものである。
【背景技術】
【０００２】
経口での栄養摂取が困難である者に対して栄養を投与する手段として、胃瘻経管栄養法が知られている。
この胃瘻経管栄養法は、胃に手術的または内視鏡的に外瘻を造設し、この外瘻に留置した胃瘻カテーテルを介して、栄養剤を持続的に投与する方法である。
【０００３】
ところで、既存の栄養剤は液状のものであったが、最近では、自然食をミキサーにかけた、所謂ミキサー食が使用されるようになってきた。ミキサー食は、極めて短時間で栄養投与でき、しかも半固形なので逆流による誤嚥が生じ難いので、患者の肉体的負担をやわらげることができる。また、健康な腸を活用できるので、胃瘻を止めて経口摂取に戻る際にも戻り易い。さらに、自然食なので、栄養過多になることもない。これらの利点からも、ミキサー食の利用は推奨されるものと考える。
【先行技術文献】
【特許文献】
【０００４】
【特許文献１】特開２０１０−６５０１３号公報
【発明の概要】
【発明が解決しようとする課題】
【０００５】
而して、特許文献１に記載のように、注入器具としてはシリンジ（注射器）を用いており、このシリンジを胃瘻チューブを介して胃瘻カテーテルに接続し、シリンジに入れたミキサー食を押子で押し出すことで胃の中に注入していた。
しかしながら、シリンジは点滴用のものであり、容量が少ないので、何本も使うことになったり、注入量を一定にするために押子の押す力を微調整に加減したりしなければならず、注入作業が面倒であった。また、シリンジは医療器具なので、病院では使用できるが、介護施設や家庭では使用できない。
そのため、ミキサー食の普及には、上記課題を解決するミキサー食の注入に適した専用装置が必要である。
【０００６】
本発明は上記従来の問題点に着目して為されたものであり、新規且つ有用なミキサー食の自動注入装置を提供することを、その目的とする。
【課題を解決するための手段】
【０００７】
本発明は上記課題を解決するためになされたものであり、請求項１の発明は、下端部に注入孔を有するシリンジ状容器部と、前記シリンジ状容器部に摺動自在に設けられるブッシュと、前記ブッシュの上面側に設けられ前記ブッシュの作動力を容積の増大により生み出す加圧室とを備え、前記ブッシュの下面側をミキサー食の収容室とするミキサー食注入部と、前記加圧室に連通した加圧用エアチューブおよび圧力検出用エアチューブと、前記加圧用エアチューブを介して前記加圧室に送るエア量を直接または間接的に設定する設定部と、前記加圧用エアチューブに設けられた吐出ポンプと、前記圧力検出用エアチューブに設けられた圧力センサーと、前記圧力センサーからの検出結果を受けて、前記設定部での設定目標に従って前記吐出ポンプを作動させる制御部とを備えたコントローラと、で構成したことを特徴とするミキサー食自動注入装置である。
【０００８】
請求項２の発明は、請求項１に記載したミキサー食自動注入装置において、加圧用エアチューブは二股に分かれ、一方に吐出ポンプが設けられ、他方に電磁弁を介して吸引ポンプが設けられており、制御部は前記電磁弁を作動させて前記吸引ポンプ側の分岐チューブを加圧室と連通させることで、加圧室を速やかに静圧状態にしてブッシュを停止させることが可能になっていることを特徴とするミキサー食自動注入装置である。
【０００９】
請求項３の発明は、請求項１または２に記載したミキサー食自動注入装置において、設定部にはミキサー食の連続注入時間の設定が可能になっており、制御部は設定された時間がくるとブッシュを停止させて注入を中断させることを特徴とするミキサー食自動注入装置である。
【００１０】
請求項４の発明は、請求項３に記載したミキサー食自動注入装置において、コントローラはブザーの鳴動回路を備えており、制御部は設定された時間がくると前記ブザーの鳴動回路をＯＮにすることを特徴とするミキサー食自動注入装置である。
【００１１】
請求項５の発明は、請求項１から４のいずれかに記載したミキサー食自動注入装置において、ブッシュの外周には襞が設けられており、前記襞がシリンジ状容器部の内周を摺動することを特徴とするミキサー食自動注入装置である。
【００１２】
請求項６の発明は、請求項１から５のいずれかに記載したミキサー食自動注入装置において、加圧室は容器内に収められたジャバラ状伸縮体によって構成されていることを特徴とするミキサー食自動注入装置である。
【００１３】
請求項７の発明は、請求項１から５のいずれかに記載したミキサー食自動注入装置において、加圧室はブッシュと共にシリンジ状容器部に摺動自在に設けられるピストンの上面側空間になっていることを特徴とするミキサー食自動注入装置である。
【００１４】
請求項８の発明は、請求項７に記載したミキサー食自動注入装置において、ミキサー食注入部側に、ピストンの軸に取り付けられたラックと、前記ラックと噛合うピニオンと、前記ピニオンに取付けられたポテンショメータとで構成され、前記ピニオンの回転角を検出する検出手段を備え、コントローラ側に、前記ポテンショメータからのピニオンの回転角の検出結果に基づいてミキサー食の注入量または残液量を算出して報知する報知手段とを備えることを特徴とするミキサー食自動注入装置である。
【発明の効果】
【００１５】
本発明のミキサー食自動注入装置によれば、一食分のミキサー食を容器部に入れて、胃瘻の患者の胃に一定の流量で自動的に注入できる。
【図面の簡単な説明】
【００１６】
【図１】本発明の第１の実施の形態に係るミキサー食自動注入装置の全体斜視図である。
【図２】図１のジャバラ式ミキサー食注入部の断面図である。
【図３】図１のミキサー自動注入装置のコントローラの前面図である。
【図４】図３のコントローラの電気的ブロック図である。
【図５】図１のミキサー食自動注入装置における注入動作の説明図である。
【図６】本発明の第２の実施の形態に係るエア注入式ミキサー食注入部の構成図及び注入動作説明図である。
【図７】本発明の第３の実施の形態に係るピストン式ミキサー食注入部の構成図及び注入動作説明図である。
【図８】図７に対応したコントローラの前面図である。
【発明を実施するための形態】
【００１７】
本発明の第１の実施の形態に係るミキサー食自動注入装置１について、図面にしたがって説明する。
図１に示すように、ミキサー食自動注入装置１は、ジャバラ式ミキサー食注入部３と、連結チューブ部４１と、コントローラ５１とで構成されている。
【００１８】
図２に示すように、ジャバラ式ミキサー食注入部３はシリンジ状容器部５を備えている。このシリンジ状容器部５は断面真円形で直状の円筒形側面部７を有し、その底部９は外方に膨らむように球面状になっている。底部９の中心に形成された注入孔１０を囲むように小径の注入筒１１が外付けされており、シリンジ状容器部５内のミキサー食が注入筒１１を注入孔として利用して容器外に送り出されるようになっている。シリンジ状容器部５は、上記したように構成されて、全体としてシリンジ状を成している。
このシリンジ状容器部５には、蓋体１３が被さっている。この蓋体１３は円形の天面部１５と側面部１７とでなり、側面部１７がシリンジ状容器部５の側面部７に外嵌めされてシリンジ状容器部５を閉じるようになっている。その天面部１５の中心に二つの筒状のチューブ接続部１９、２１が設けられている。また、外周寄りにバルブ取付け筒２３が設けられ、そこにはリバースバルブ２５が内装されている。
【００１９】
符号２７はブッシュを示し、このブッシュ２７はシリンジ状容器部５内に配設されている。ブッシュ２７は円盤状を成しており、その外周面には上下二段に分かれて襞様の突条２９、２９が形成されているので、その突条２９、２９の箇所がその他の外周部よりも外方に張り出している。
ブッシュ２７はシリンジ状容器部５の側面部７の内面に、突条２９、２９が摺動するように配設されており、ブッシュ２７が昇降しても、シリンジ状容器部５内では、常時、ブッシュ２７の上面側と下面側とは連通不能に分離される。
【００２０】
ブッシュ２７の下面は下方に膨らむ球面を成し、下降限界ではシリンジ状容器部５の底面９に重ね合う。
下面側の容器内空間がミキサー食収容室３１になっており、上面側の容器内空間がエア連通室３３になっている。この二つの室の容積は、仕切りとなるブッシュ２７の昇降により相対的に加減される。ブッシュ２７の上昇限界ではエア連通室３３の容積がゼロに近くなり、下降限界ではミキサー食収容室３１の容積がゼロに近くなる。
エア連通室３３にはジャバラ状伸縮体３５が収容されており、そのジャバラ状伸縮体３５の伸縮方向がシリンジ状容器部５の軸方向になっている。ジャバラ状伸縮体３５と蓋体１３に設けられたチューブ接続部１９、２１とバルブ取付け筒２３が連結しており、チューブ接続部１９、２１とバルブ取付け筒２３を通るエアは全てジャバラ状伸縮体３５の内部と出し入れされるようになっている。
【００２１】
シリンジ状容器部５には取っ手３７が設けられており、この取っ手３７を適当な支持バー（図示省略）に掛け、注入孔１０を下方に向けて吊り下げて使用するようになっている。
注入筒１１には胃瘻チューブ３９の端部が外嵌めされる。この胃瘻チューブ３９は胃瘻カテーテル（図示省略）に連結される。
【００２２】
上記した構成のジャバラ式ミキサー食注入部３には連結チューブ部４１の一端側が連結されている。
この連結チューブ部４１は２本のエアチューブ４３、４５を内包しており、エアチューブ４３が蓋体１３のチューブ接続部１９に外嵌されて連通し、エアチューブ４５がもう一方のチューブ接続部２１に外嵌されて連通している。
この連結チューブ部４１の途中にはエアチューブ４３、４５を通すエア流量を調整するための三方活栓４７が取り付けられている。また、連結チューブ部４１は長さが調整できるように、コネクタ４９を介してジャバラ式ミキサー食注入部３側に連結された連結チューブ部４１Ａとコントローラ５１側に連結された連結チューブ部４１Ｂを接続させて一本の連結チューブ部としている。
【００２３】
図３に示すように、コントローラ５１の筐体５３には、連結チューブ部４１の他端側が連結されており、図４に示すように、エアチューブ４３、４５が筐体５３内に引き込まれている。
この筐体５３の正面には各種操作ボタン５５が配置されている。操作ボタン５５は、「運転／停止」ボタン、「圧力選択１」ボタン、「圧力選択２」ボタン、「警報切り」ボタン、「時間選択１」ボタン、「時間選択２」ボタン、「再運転」ボタンである。また、表示部（ディスプレイ）５７が配置されており、「エア圧力」と「注入時間」が表示されるようになっている。ミキサー食の流量は、ミキサー食収容室３１の上側にある円盤状のブッシュ２７の盤面に係る圧力と円筒形の収容室の内径とにより決まることから、「圧力選択」により流量が設定される。また、「時間選択」はブッシュ２７の連続作動時間であり、「時間選択」によりミキサー食の連続注入時間が設定される。
筐体５３の側面には、電源スイッチ５９が配置されている。
この筐体５３には、ループ紐６１が設けられており、ジャバラ式ミキサー食注入部３と同様に適当なバー（図示省略）に通して吊り下げることができるようになっている。
【００２４】
この筐体５３内に、各種回路等が収容されてコントローラが構成されている。以下、内部の電気構成について、図４にしたがって説明する。
操作ボタン５５や電源スイッチ５９に対応して、それらの押下によりＯＮとなるスイッチ回路５５（Ｓ）、５９（Ｓ）が設けられている。
ＣＰＵ６３は、図示省略した種々の記憶部やタイマーや入力インターフェイス回路６５と共にマイクロコンピュータ（制御部）を構成しており、電源回路６７は、蓄電池から入力された電圧に基づいてマイコン用の電源電圧や回路制御電圧を形成し、印加する。
上記したスイッチ回路５５（Ｓ）、５９（Ｓ）の信号は入力インターフェイス回路６５に送信されて、ＣＰＵ６３がその信号データを採取可能となっている。
【００２５】
エアチューブ４３は、加圧用になっており、筐体５３内で吐出ポンプ６９に接続されているが、途中で二股に分岐しており、その分岐した側には電磁弁７１が介装された上で、吸引ポンプ７３が接続されている。エアチューブ４５は、圧力検出用になっており、圧力センサー７５が接続されている。
ＣＰＵ６３は、ＤＣモータドライブ回路を介して吐出ポンプ６９、吸引ポンプ７３を作動させ、電磁弁ドライブ回路を介して電磁弁７１を作動させる。また、ＣＰＵ６３は、表示部ドライブ回路を介して表示部５７（図３）に情報を表示させると共に、ブザードライブ回路を介してブザー７７を鳴動させる。また、圧力センサー７５からの信号は増幅回路で増大されたものを採取する。
【００２６】
ＣＰＵ６３は、所定の手順にしたがって、上記した操作ボタン５５や電源スイッチ５９の押下による圧力等の設定要求や運転等の操作要求、圧力センサー７５からの圧力値の検出結果を受けて、設定目標に従って適宜なタイミングで選択した回路に所定の信号を供給するようになっている。
圧力センサー７５はジャバラ状伸縮体３５の内部に一旦入った後に戻されてきたエアの圧力を検出しており、ジャバラ状伸縮体３５の内部の圧力を精度高く検出できるようになっている。
また、リバースバルブ２５が設けられているので、吐出ポンプ６９が誤作動しても異常な圧力上昇が阻止され、患者への無理な注入は阻止される。
さらに、エアチューブ４３からは外気がシリンジ状容器部５内に取り込まれるが、その外気は全てジャバラ状伸縮体３５の内部に収められるので、患者の胃に入ることはない。しかも、ブッシュ２７には襞状の突条２９、２９が設けられ、そこがシリンジ状容器部５の内面を摺動するので、昇降の動きをスムーズにしながら、ミキサー食収容室３１の密封性が確保されて、ミキサー食への空気の混入が二重に阻止されるようになっている。
【００２７】
ミキサー食自動注入装置１は、上記したように構成されており、注入作業について、説明する。
図３に示す電源スイッチ５９を押下すると、動作可能モードに入り、操作ボタン５５のうち、「圧力選択１」ボタン、若しくは「圧力選択２」ボタンを押下すると、表示部５７で、設定圧のランプが点灯すると共に、選択された設定圧力の「番号」と、「圧力値」とが表示される。また、「時間選択１」ボタン、若しくは「時間選択２」ボタンが押下されると、表示部５７に、設定時間のランプが点灯すると共に、選択された設定時間、すなわち連続注入時間の「番号」と、「時間」とが表示される。
これで、コントローラ５１側の準備は終了する。
【００２８】
ジャバラ式ミキサー食注入部３側は、シリンジ状容器部５にミキサー食（Ｆ）を入れ、ブッシュ２７を装着し、蓋体１３で開口を閉じると共に、必要に応じてエア抜きをした上で、胃瘻チューブを胃瘻カテーテルに接続し、図５（注入開始時）に示す状態にすると、準備が終了する。この時点では、ジャバラ状伸縮体３５が縮んでいる。
コントローラ５１の「運転／停止」ボタン５５を押下すると、注入動作が開始する。吐出ポンプ６９が作動して、ジャバラ状伸縮体３５内に図４の黒矢印に示すようにエアを供給するので、ジャバラ状伸縮体３５の内部が加圧されて伸び、ブッシュ２７を押し下げる。この押し下げにより、ミキサー食収容室３１側の容積が減るので、その減少分に対応してミキサー食（Ｆ）が胃瘻チューブ３９に送り出されていく。コントローラ５１では、圧力を監視しているので、設定圧が維持されるようになっており、ミキサー食（Ｆ）の流量は一旦定常状態に入るとそのまま流量一定で送り出されるようになっている。
【００２９】
ジャバラ式ミキサー食注入部３には一回分の食事量が入っているが、患者が小児の場合には途中で中休みをした方が良い場合がある。そのような場合に対応して時間選択が設定されており、上記で設定された時間がくると、吐出ポンプ６９が停止すると共に、電磁弁７１が通路を切替えて吸引ポンプ７３側を開通させた上で、吸引ポンプ７３が作動し、図４の白矢印に示すように吸引される。これにより、ジャバラ状伸縮体３５の内部に加圧力が残ることなく速やかに静圧になってブッシュ２７の下降が停止し、ミキサー食（Ｆ）の注入が中断する。また、ブザー７７が鳴動して食事の補助者が離れていても分かるようになっている。ブザーの鳴動は「警報切り」ボタン５５を押下すると止む。「再運転」ボタン５５を押下すると、電磁弁７１が通路を切替えて吐出ポンプ６９側を開通させた上で、吐出ポンプ６９が再び作動し、ジャバラ状伸縮体３５が更に伸びて注入完了に至る。
【００３０】
このようにして、ミキサー食（Ｆ）を一定の流量で自動的に連続注入すると共に、適当な中休みを設けて患者に注入することができる。また、途中で注入を停止したい場合には、その都度「運転／停止」ボタンを押下すれば、任意のタイミングで注入を中断できるので、患者のその時の状況にも迅速に対応できる。
また、ブッシュ２７は下降限界ではシリンジ状容器部５の底面９に重なり合うので、ミキサー食（Ｆ）はシリンジ状容器部５に殆ど残すことなく利用できる。
【００３１】
第２の実施の形態に係るエア注入式ミキサー食注入部８１について、図６にしたがって説明する。
第１の実施の形態に係るジャバラ式ミキサー食注入部３と同じ構成部分は同じ符号を付すことで説明を省略する。
このエア注入式ミキサー食注入部８１では、ジャバラ状伸縮体が設けられておらず、シリンジ状容器部５の側面部７と蓋体１３の天面部１５とで画定されるエア連通室が加圧室８３になっている。ジャバラ状伸縮体を設けていない分、構成が単純で、且つミキサー食収容室３１の初期容積を大きくとれる利点がある。
【００３２】
第３の実施の形態に係るピストン式ミキサー食注入部８５について、図７にしたがって説明する。
第１の実施の形態に係るジャバラ式ミキサー食注入部３と同じ構成部分は同じ符号を付すことで説明を省略する。
このピストン式ミキサー食注入部８５では、ブッシュ２７の上面にピストン８７の軸８９が取付けられ、そのヘッド９１が蓋体１３の側面部１７の内面に摺動可能に設定されている。加圧室９３は、ヘッド９１の上面と蓋体１３の天板部１５と側面部１７とで画定された空間になっており、そこに吐出ポンプ６９からエアが吐出されるようになっている。
【００３３】
符号９５は載置部を示し、この載置部９５はシリンジ状容器部５の天板を為している。但し、中心部には穴が設けられており、ピストン８７の軸８９は余裕をもって挿通可能となっている。この載置部９５にはロータリー式のポテンショメータ９７が設置されている。このポテンショメータ９７のシャフトにはピニオン９９が取り付けられており、この噛合い相手のラック１０１はピストン８７の軸８９に取り付けられている。
上記した機構により、ピストン８７が下降するとピニオン９９が回転してその回転角が電気信号として検出されるようになっており、図示しない配線構成により、ピストン８７の収容空間の気密性を損なわずに、上記したポテンショメータ９７からの電気信号がコントローラ５１側に送られている。
【００３４】
図８に示すように、コントローラ５１側には、「注入時間」に代えて、「容器液量」を表示するようになっており、「液量表示切替」ボタンが押下されると、表示部５７で、「残液量」と「吐出量（＝注入量）」のランプが切替点灯して、対応する液量の表示モードとなる。
また、ブザー７７が残量に応じて鳴動するように設定されており、液無しの直前となる「２０ｍｌ」になった強制鳴動時点と、残量選択された量になった時点で鳴動する。残量選択は、「残量選択１」と「残量選択２」のいずれかのボタンの押下により行う。例えば、「残量選択１」は、５０ｍｌ、「残量選択２」は、１００ｍｌに対応している。
【００３５】
上記したポテンショメータ９７からの電気信号は、ピストン８７の下降量を示しており、これにシリンジ状容器部５の断面積を乗ずることで吐出量（=注入量）が算出される。従って、コントローラ５１が、この吐出量（＝注入量）、または全体量からこの吐出量（=注入量）を減じた残液量を表示して報知する。残量が強制または選択量となった時点で、ブザー７７を鳴動させて報知する。従って、実際の注入の進行を監視できると共に、その完了を食事の補助者が離れていても分かるようになっている。
ブザー７７の鳴動は「警報切り」ボタン５５を押下すると止む。
【００３６】
従って、図７に示すように、ミキサー食（Ｆ）の注入が開始すると、その注入中には、注入量または残量を途中で数字的に逐次確認でき、完了前にブザー７７の鳴動で補助者が知ることができる。
上記したように、この実施の形態では、精度高く、注入量の管理ができる。但し、ピストン８７を気密状態で収容するために、蓋体１３側の側面部１７が長く設定されており、注入部８５の軸方向の長さ寸法が他の実施の形態のものよりも大きくなっている。
【００３７】
以上、本発明の実施の形態について詳述してきたが、具体的構成は、この実施の形態に限られるものではなく、本発明の要旨を逸脱しない範囲における設計の変更などがあっても発明に含まれる。
【符号の説明】
【００３８】
１…ミキサー食自動注入装置
３…ジャバラ式ミキサー食注入部（第１の実施の形態）
５…シリンジ状容器部                ７…側面部
９…底部                          １０…注入孔
１１…注入筒
１３…蓋体                          １５…天面部
１７…側面部                        １９、２１…チューブ接続部
２３…バルブ取付け筒                ２５…リバースバルブ
２７…ブッシュ                      ２９…突条
３１…ミキサー食収容室              ３３…エア連通室
３５…ジャバラ状伸縮体              ３７…取っ手
３９…胃瘻チューブ                  ４１…連結チューブ部
４３、４５…エアチューブ            ４７…三方活栓
４９…コネクタ                      ５１…コントローラ
５３…筐体                          ５５…操作ボタン
５７…表示部（ディスプレイ）        ５９…電源スイッチ
６１…ループ紐                      ６３…ＣＰＵ
６５…入力インターフェイス回路      ６７…電源回路
６９…吐出ポンプ                    ７１…電磁弁
７３…吸引ポンプ                    ７５…圧力センサー
７７…ブザー
８１…エア注入式ミキサー食注入部（第２の実施の形態）
８３…加圧室
８５…ピストン式ミキサー食注入部（第３の実施の形態）
８７…ピストン                      ８９…軸
９１…ヘッド                        ９３…加圧室
９５…載置部                        ９７…ポテンショメータ
９９…ピニオン                    １０１…ラック
Ｆ…ミキサー食
【図１】
2015128550.tif 000003
【図２】
2015128550.tif 000004
【図３】
2015128550.tif 000005
【図４】
2015128550.tif 000006
【図５】
2015128550.tif 000007
【図６】
2015128550.tif 000008
【図７】
2015128550.tif 000009
【図８】
2015128550.tif 000010